(57)【特許請求の範囲】
【請求項１】
下プレートと、
前記下プレート上に設けられた下フレームと、
前記下フレームに設けられた支柱と、
前記支柱を介して、前記下フレームと接合された上フレームと、
前記上フレーム上に接合された上プレートと、
を具備し、
前記下プレートの四隅には切欠きがあることを特徴とするフリーアクセスフロア用架台。
【請求項２】
前記下プレートと、前記下フレームとの接合と、
前記下フレームと前記支柱との接合と、
前記上フレームと前記支柱との接合と、
前記上フレームと前記上プレートとの接合は、固定具で固定され、
組み立て及び解体が可能であることを特徴とする請求項１記載のフリーアクセスフロア用架台。
【請求項３】
前記固定具は、ボルト及びナットであることを特徴とする請求項２記載のフリーアクセスフロア用架台。
【発明の詳細な説明】
【技術分野】
【０００１】
本発明は、フリーアクセスフロアに使用され、上部に設備等を設置可能であり、組立及び解体が容易であり、設備の移設や増設時に容易に設置することが可能なフリーアクセスフロア用架台に関するものである。
【背景技術】
【０００２】
従来、フリーアクセスフロアを構成するフロアパネルは、支持体の上に配置され、フロアパネル下には空間が形成される。この床下は、配線等を配置したり空気を流したりするために用いられ、作業性等を考慮して、フロアパネルは軽量なものが使用される。
【０００３】
しかし、フリーアクセスフロアに設備等の重量物を設置する場合は、フロアパネルおよび支持体にはある程度の強度が要求される。
【０００４】
このため、重量のある設備をフリーアクセスフロアに設置する場合には、予め設備の設置位置にコンクリートを打設して設備設置部を設けたり、または、強固な鉄骨構造により補強を行う必要がある。しかし、クリーンルームでの溶接作業は困難であるとともに、レイアウト変更などによる設備の移設や増設が困難である。
【０００５】
このような強度を考慮したフロアパネルとしては、連続した凹凸形状背面に設けたフリーアクセスフロア用パネルがある（特許文献１）。
【０００６】
また、壁面近傍にボーダーパネル支持客および支持ビームを設けて、壁面近傍の設置強度を高めたフリーアクセスフロアがある（特許文献２）。
【特許文献１】特開平１１−６２７６号公報
【特許文献２】特開平５−１１８１２０号公報
【発明の開示】
【発明が解決しようとする課題】
【０００７】
しかし、特許文献１に記載のフリーアクセスフロア用パネルでは、パネル自体の強度向上に限界があり、また、パネルを支える支持体についても強度向上を図る必要があるが、支持体の強度の向上については考慮されていないため、パネル上への重量物の設置には限界があるという問題がある。
【０００８】
また、特許文献２に記載のフリーアクセスフロアは、壁面近傍での支持体の強度を向上させたものであるが、部屋の中央部での支持体の強度向上方法については、支持体下部の固定板と床部との接着面積を向上する旨のみが記載されており、上部からの重量物を支持し、高い剛性を有するための具体的な支持体構造については記載が無く、特許文献１と同様にパネル上への重量物の設置には限界があるという問題がある。
【０００９】
このため、特許文献１及び特許文献２のいずれに記載のパネル及び支持体でも、設備を設置するための強度を十分に確保することが困難であり、より強度を有するフリーアクセスフロアを構築するためには、鉄骨構造等による補強が必要であるという問題がある。このため、クリーンルーム以内での溶接やコンクリート打設など、設置作業が大変であるとともに、設備の移設や増設への対応が困難であるという問題がある。
【００１０】
本発明は、このような問題に鑑みてなされたもので、上部に重量のある設備を設置可能であるとともに、組立及び解体が容易であり、設備の移設や増設時にも容易に設置可能なフリーアクセスフロア用架台を提供することを目的とする。
【課題を解決するための手段】
【００１１】
前述した目的を達成するため、本発明は、下プレートと、前記下プレート上に設けられた下フレームと、前記下フレームに設けられた支柱と、前記支柱を介して、前記下フレームと接合された上フレームと、前記上フレーム上に接合された上プレートと、を具備し、前記下プレートの四隅には切欠きがあることを特徴とするフリーアクセスフロア用架台である。
【００１２】
前記下プレートと、前記下フレームとの接合と、前記下フレームと前記支柱との接合と、前記上フレームと前記支柱との接合と、前記上フレームと前記上プレートとの接合は、固定具で固定され、組み立て及び解体が可能であってもよく、この場合、前記固定具は、ボルト及びナットであってもよい。
【００１３】
本発明によれば、フリーアクセスフロア用架台が、下プレート、下フレーム、支柱、上フレーム及び上プレートから構成され、これらがボルトで接続されるため、組立及び解体が容易であり、クリーンルーム内で溶接作業等を行わなくても設置することができる。このため、設備の移設時や増設時においても、特殊なクレーン等を用いなくても容易に設置することができ、また、コンクリートの打設等を行わなくても、上方からの荷重を複数の支柱により受けるため、上部に重量のある設備を設置可能であり、また、下プレートは4隅に切り欠きがあるため、既設の支持体と干渉することが無く、従来のフリーアクセスフロア用パネルと置き換えることで、設置することが可能なフリーアクセスフロア用架台を得ることができる。
【発明の効果】
【００１４】
本発明によれば、上部に重量のある設備等を設置可能であり、組立および解体が容易で、既設のフリーアクセスフロアに設置可能なフリーアクセスフロア用架台を提供することができる。
【発明を実施するための最良の形態】
【００１５】
以下、本発明の実施の形態にかかる架台１について説明する。図１は、第１の実施の形態にかかる架台１を示す分解斜視図であり、図２は、架台１の組立斜視図、図３は架台１の正面図である。
【００１６】
架台１は、主に下プレート３、下フレーム９、支柱２３、上フレーム２７及び上プレート３５等により構成される。下プレート３は、架台１を床上に設置する際に、床と接着される部位である。
【００１７】
下プレート３は例えば鋼製の板状部材であり、架台１の４隅に該当する部分に切り欠き部７が設けられる。切り欠き部７は、架台１を設置する際に、フリーアクセス用フロアパネル設置用の支持体との干渉を防ぐためのものである。すなわち、架台１は、既設の支持体の脚部と干渉することなく設置することができる。
【００１８】
下プレート３には、複数の接続材５が下プレート３に略垂直方向に設けられる。接続材５と下プレートとの接合は、例えば溶接により行われる。接続材５は、鋼製の柱状部材であり、上部には図示を省略したボルト穴が設けられる。接続材５は上方からの力を均等に受けることができるように、下プレート３の各辺にそれぞれ１本ずつ、合計４本設けられる。
【００１９】
なお、接続材５の本数及び設置位置は、後述する下フレーム９との接合を確実に行うことができれば良く、上述した、架台１の形態には限られない。
【００２０】
接続材５の上方には下フレーム９が設けられる。下フレーム９は、中央に穴を有する鋼製の矩形形状の部材である。下フレーム９には、架台１の使用状況に応じて複数のリブ１１が設けられる。リブ１１は、下フレーム９に溶接で接合されてもよく、または、鋳造により下フレーム９にリブ１１を一体で設けても良い。リブ１１は、下フレーム９のたわみ、ねじれまたは変形等を防止するためのものであり、架台１に要求される剛性を得るために設けられる。リブ１１は、他の構成部材との接続部を除き、下フレーム９の縦及び横方向のそれぞれに向けて配置される。なお、下フレーム９の４隅は、既設の支持体等と干渉することを防ぐため、斜めにカットされる。
【００２１】
下フレーム９には、穴１５、及び穴１７が設けられる。穴１７は、接続材５との接続部である。また、穴１５は、後述する支柱２３との接合部である。すなわち、穴１７は、下プレート３上に下フレーム９を設置した際に、接続材５の設置位置に設けられる。
【００２２】
下フレーム９の穴１７を貫通して設けられるボルト１９は、接続材５と接合される。すなわち、下プレート３と下フレーム９とが接続材５を介して接合され固定される。
【００２３】
下フレーム９上には支柱２３が設けられる。支柱２３は鋼製部材であり、両端にボルト部２５ａ、２５ｂが設けられる。支柱２３の下方のボルト部２５ａは、下フレーム９の穴１５を貫通し、ナット２１ａで固定される。
【００２４】
なお、支柱２３は、下フレーム９の４辺近傍に各１箇所の計４本設けられるが、支柱２３の設置本数及び設置位置については、架台１の使用状況に応じて適宜設定することができる。
【００２５】
支柱２３の上方には、上フレーム２７が設けられる。上フレーム２７は、中央に穴を有する矩形形状の部材である。上フレーム２７には、架台１の使用状況に応じてリブ２９が設けられる。リブ２９は、上フレーム２７に溶接で接合されてもよく、または、鋳造により上フレーム２７にリブ２９を一体で設けても良い。リブ２９は、上フレーム２７のたわみ、ねじれまたは変形等を防止するためのものであり、架台１に要求される剛性を得るために設けられる。リブ２９は、上フレーム２７の縦及び横方向それぞれに設けられ、必要に応じて斜め方向にも設けられる。
【００２６】
上フレーム２７には、穴３１及びボルト穴３３が設けられる。穴３１は支柱２３のボルト部２５ｂとの接合部である。支柱２３のボルト部２５ｂが穴３１を貫通し、ナット２１ｂにより固定される。
【００２７】
なお、上フレーム２７の４隅の接合部近傍は、斜めにカットされる。フロアパネルを支える既設の支持体等との干渉を防ぐためである。すなわち、架台１は、既設の支持体等が設置された部位においても、支持体等と干渉することなく設置することができる。
【００２８】
上フレーム２７上には、上プレート３５が設けられる。上プレート３５は鋼製の板状部材であり、上部に設備等が設置される部位である。上プレート３５には接続材３９が設けられる。接続材３９は、中央に穴が設けられた中空の柱状部材であり、上フレーム２７と上プレート３５を接続する部材である。接続材３９は、溶接等により予め上プレート３５に接合しておいても良く、又は、別部材であっても良い。
【００２９】
接続材３９の設置位置は、上フレーム２７のボルト穴３３に対応する位置である。また、上プレート３５の接続材３９の設置位置には、穴４１が設けられる。ボルト３７は、穴４１及び接続材３９の中空部を貫通し、上フレーム２７のボルト穴３３に固定される。なお、図示は省略するが、上プレート３５の穴４１は、ボルト３７の頭部が収まるよう段付形状となっており、ボルト３７で上プレート３５と上フレーム２７とを固定した際に、ボルト３７が上プレート３５の面上に突出することはない。
【００３０】
図４は、フロアパネル４７が複数配置されたフロアの、設備設置部位４９に該当する位置に架台１を設置した状態を示す平面図である。架台１の上面は、フロアパネル４７と同じサイズである。すなわち、上プレート３５はフロアパネル４７と同じサイズである。
【００３１】
フリーアクセスフロア上に設備設置部位４９が決定されると、設備設置部位４９に該当するフロアパネル４７が取り外され、代わりに架台１が設置される。架台１は、上部に設置される設備の大きさによって、１台のみで使用しても良く、または、図４に示すように縦横２台としてもよい。設備の大きさ及び設備設置部位４９に応じて、架台１の設置台数を決定すれば良く、架台１設置部位のフロアパネル４７と入れ替えればよい。なお、架台１の設置は、例えば下プレート３と床部とを接着剤等で接着すればよい。
【００３２】
フロアパネル４７のそれぞれの角の合流部には、通常、支持体が設置されており、フロアパネル４７は支持体上に配置される。架台１は下プレート３の４隅に切り欠きがあるため、既設の支持体の脚部と干渉することが無い。また、下フレーム９、上フレーム２７の４隅も、斜めにカットされて切り欠き部が設けられているため、支持体と干渉することがない。このため、支持体を設置した状態で、架台１を設置することができる。
【００３３】
このように、本実施の形態にかかる架台１によれば、上部に重量のある設備を設置することが可能であるとともに、下プレート３、下フレーム９、支柱２３、上フレーム２７及び上プレート３５の各構成部材がボルト及びナットで接続されるため、組立および解体が容易なフリーアクセスフロア用架台を得ることができる。
【００３４】
特に、下プレート３の４隅に切り欠き部７が設けられるため、既設の支持体等の脚部と干渉することが無く、設備の移設や増設時に、既設のフロアパネル４７に代えて架台１を設置することが可能である。特に、架台１は各部材の組立及び解体が容易であるため、クリーンルーム内での溶接作業等を行うことなく、また、特殊なクレーン等の設備を必要としなくても、現場で容易に設置作業を行なうことができる。
【００３５】
また、上方からの荷重を支柱２３が受けるため、支柱２３の本数等を適宜変更することで、所望の強度を有する架台を得ることができ、重量のある設備を設置可能な架台を提供することができる。
【００３６】
次に、第２の実施の形態にかかる架台５０について説明する。図５から図７は、架台５０を示す図で、図５は架台５０の分解斜視図、図６は架台５０の組立斜視図、図７は架台５０の正面図である。なお、架台５０において、図１〜図３に示す架台１と同一の機能を果たす構成要素には、図１〜図３と同一番号を付す。架台５０は、主に下プレート３、下フレーム９、棒ボルト２６、丸パイプ２４、上フレーム２７、上プレート３５、及びターンバックル４３等により構成される。
【００３７】
下プレート３は、架台５０を床上に設置する際に、床と接着される部位である。下プレート３は鋼製の板状部材であり、架台５０の４隅に該当する部分に切り欠き部７が設けられる。切り欠き部７は、架台５０を設置する際に、フリーアクセス用フロアパネル設置用の支持体との干渉を防ぐためのものである。すなわち、架台５０は、既設の支持体の脚部と干渉することなく設置することができる。
【００３８】
下プレート３には、複数のナット６が設けられる。ナット６と下プレート３との接合は、例えば溶接により行われる。ナット６は後述する棒ボルト８が接合される部位であり、上方からの力を均等に受けることができるように、下プレート３の各辺にそれぞれ２個ずつ、合計８個設けられる。
【００３９】
なお、ナット６の個数及び設置位置は、後述する下フレーム９との接合を確実に行うことができれば良く、上述した、架台５０の形態には限られない。しかし、高い剛性を確実に得るためには、架台５０を上方から見たとときに、ナット６の配置が架台５０の中心を基準として対称位置であると、荷重バランスに優れるため望ましい。
【００４０】
下プレート３には、複数のボルト穴４が設けられる。ボルト穴４は下プレート３の中心を基準として、同心円上に一定間隔で４箇所設けられる。ボルト穴４には、図示を省略したボルトが設けられる。
【００４１】
図８は、ボルト穴４近傍の下プレート３の拡大断面図である。下プレート３と床５３とは、接着剤５７により接着される。また、ボルト穴４下の下プレート３と床５３との間には当て板としてプレート５５が設けられる。下プレート３に設けられたボルト穴４には、ボルト５１が設けられる。
【００４２】
ボルト５１を回転すると、ボルト５１の先端がプレート５５に突き当たり、下プレート３と床５３（プレート５５）との隙間が変化する。下プレート３に設けられたそれぞれのボルト穴４について、それぞれのボルト５１の高さ調整することで、下プレート３の水平度の調整を行なうことができる。すなわち、水平調整機構であるボルト穴４及びボルト５１等によって架台５０の水平レベルを調整することができる。
【００４３】
ナット６には、接続材としての棒ボルト８が設けられる。棒ボルト８はナット６と螺合して固定される。
【００４４】
棒ボルト８の上方には下フレーム９が設けられる。下フレーム９は、中央に穴を有する鋼製の矩形形状の部材であり、下フレーム９には、複数のリブ１１が設けられる。リブ１１は、下フレーム９に溶接で接合されてもよく、または、鋳造により下フレーム９とリブ１１とを一体で成形しても良い。リブ１１は、下フレーム９のたわみ、ねじれまたは変形等を防止するためのものであり、架台５０に要求される剛性を得るために設けられる。リブ１１は、他の構成部材との接続部を除き、下フレーム９の縦及び横方向のそれぞれに向けて配置される。なお、下フレーム９の４隅は、既設の支持体等と干渉することを防ぐため、斜めにカットされる。
【００４５】
下フレーム９には、穴１５ａ、及び穴１７ａが設けられる。穴１７ａは、棒ボルト８との接続部である。また、穴１５ａは、後述する棒ボルト２６との接合部である。すなわち、穴１７ａは、下プレート３上に下フレーム９を設置した際に、棒ボルト８の設置位置に設けられる。
【００４６】
下フレーム９の穴１５ａ、１７ａ設置部には、補強板１３が設けられる。補強板１３は、鋼製の板状部材であり、穴１５ａ、１７ａに対応した位置に、穴１５ｂ、１７ｂが設けられる。棒ボルト８は、補強板１３の穴１７ｂ、下フレーム９の穴１７ａを貫通し、ナット１８ａ、１８ｂで固定される。すなわち、下フレーム９と補強板１３とを上下方向よりナット１８ａ、１８ｂで挟み込むように、棒ボルト８と下フレーム９及び補強板１３とが接合され固定される。
【００４７】
ナット１８ａ、１８ｂは、容易に棒ボルト８に対して締め付けることも緩めることもできる。下フレーム９は、ナット１８ａ、１８ｂの位置に応じて棒ボルト８と固定されるため、ナット１８ａ、１８ｂの位置を調整し、棒ボルト８と下フレーム９との固定位置を変更すれば、下フレーム９の高さを容易に調整することができる。すなわち、架台５０の高さを調整することができる。
【００４８】
なお、補強板１３と下フレーム９とは、予め溶接等により接合しても良く、また、下フレーム９の穴１５ａ、１７ａ近傍の板厚を補強板１３に対応する分だけ厚く成形することができれば、補強板１３は不要である。
【００４９】
下フレーム９及び補強板１３上には、支柱としての棒ボルト２６および丸パイプ２４が設けられる。棒ボルト２６は鋼製の丸パイプ２４内に挿入される。棒ボルト２６の下方のボルト部は、補強板１３の穴１５ｂ及び下フレーム９の穴１５ａを貫通し、ナット２１ａ、２１ｂで固定される。すなわち、ナット２１ａ、２１ｂが、下フレーム９及び補強板１３を上下方向両側より挟みこむように設けられ、棒ボルト２６が下フレーム９及び補強板１３に固定される。
【００５０】
棒ボルト２６が一対のナット２１ａ、２１ｂにより下フレーム９及び補強板１３を挟み込むように固定されるため、棒ボルト２６と下フレーム９との接合部のすべりやずれが生じることが無く、高い剛性を得ることができる。なお、棒ボルト２６は、下フレーム９の４辺近傍に各２箇所の計８本設けられるが、棒ボルト２６の設置本数及び設置位置については、架台５０の使用状況に応じて適宜設定することができる。
【００５１】
棒ボルト２６の上方には、上フレーム２７が設けられる。上フレーム２７は、中央に穴を有する鋼製の矩形形状の部材である。上フレーム２７にはリブ２９が設けられる。リブ２９は、上フレーム２７に溶接で接合されてもよく、または、鋳造により上フレーム２７にリブ２９を一体で設けても良い。リブ２９は、上フレーム２７のたわみ、ねじれまたは変形等を防止するためのものであり、架台５０に要求される剛性を得るために設けられる。リブ２９は、上フレーム２７の縦及び横方向それぞれに設けられ、必要に応じて斜め方向にも設けられる。
【００５２】
上フレーム２７には、穴３１及びボルト穴３３が設けられる。また、上フレーム２７の側面には連結穴２８が設けられる。穴３１は棒ボルト２６の上方のボルト部との接合部である。棒ボルト２６が穴３１を貫通し、ナット２１ｃ、２１ｄにより上フレーム２７へ固定される。すなわち、ナット２１ｃ、２１ｄが、上フレーム２７を上下方向から挟みこむように設けられ、棒ボルト２６が上フレーム２７に固定される。このため、棒ボルト２６と上フレーム２７との接合部におけるすべりやずれが生じることが無い。
【００５３】
また、上フレーム２７と下フレーム９とを接合する棒ボルト２６は、丸パイプ２４内に挿入されるため、上方からの荷重に対して、丸パイプ２４が荷重を受け持つことができる。このため、丸パイプ２４及び棒ボルト２６を支柱とする架台５０は、高い耐荷重性能を有し、重量のある設備を上部に設置することが可能である。
【００５４】
連結穴２８は、ボルト等で隣接する架台５０同士を連結することができる。前述の通り、架台５０は、上部に設置する設備の大きさや位置に応じて、複数台の架台５０を設置する場合があるが、この場合に、隣接する架台５０同士を連結することで、より高い剛性を得ることができる。
【００５５】
なお、上フレーム２７の４隅は斜めにカットされる。フロアパネルを支える既設の支持体等との干渉を防ぐためである。すなわち、架台５０は、既設の支持体等が設置された部位においても、支持体等と干渉することなく設置することができる。
【００５６】
上フレーム２７上には、上プレート３５が設けられる。上プレート３５は鋼製の板状部材であり、上部に設備等が設置される部位である。上プレート３５には接続材３９が設けられる。接続材３９は、中央に穴が設けられた中空の柱状部材であり、上フレーム２７と上プレート３５を接続する部材である。接続材３９は、溶接等により予め上プレート３５に接合しておいても良く、又は、別部材であっても良い。
【００５７】
上プレート３５には、角パイプ３６が設けられる。角パイプ３６は上プレート３５のたわみや変形を防止するためのものである。角パイプ３６は、上プレート３５に予め溶接等によって接合される。角パイプ３６は、既設の支持体等と干渉しないように、上プレート３５の４隅は避けて配置される。なお、角パイプ３６の上述の効果を効率よく得るためには、角パイプ３６を上プレート３５の対角線上に設けることが望ましい。また、角パイプ３６に代えて、上プレート３５にリブを設けることもできる。この場合、上プレート３５にリブを溶接により設けても良く、または、鋳造により、上プレート３５とリブを一体で成形しても良い。
【００５８】
接続材３９の設置位置は、角パイプ３６の設置部位を除き、上フレーム２７のボルト穴３３に対応する位置である。また、上プレート３５への接続材３９の設置位置には、穴４１が設けられる。ボルト３７は、穴４１及び接続材３９の中空部を貫通し、上フレーム２７のボルト穴３３に固定される。なお、図示は省略するが、上プレート３５の穴４１は、ボルト３７の頭部が収まるよう段付形状となっており、ボルト３７で上プレート３５と上フレーム２７とを固定した際に、ボルト３７が上プレート３５の面上に突出することはない。
【００５９】
上フレーム３５と下フレーム９とは、更にターンバックル４３により接合される。ターンバックル４３は、上フレーム３５、下フレーム９及び棒ボルト２６（丸パイプ２４）とで形成される矩形部のほぼ対角線上に斜めに設けられ、ボルト４５によって、上フレーム３５及び下フレーム９に接合される。
【００６０】
ターンバックル４３は、架台５０の水平方向の振動の増幅を抑えるためのものであり、架台５０の剛性を高める。なお、ターンバックル４３に代えて、その他の補強部材を上フレーム２７と下フレーム９との間に斜め方向に設けることもできる。
【００６１】
第２の実施の形態にかかる架台５０によれば、第１の実施の形態と同様の効果を得ることができる。
【００６２】
さらに、支柱２３と下フレーム９及び補強板１３との接合部がナット２１ａ、２１ｂで上下方向から挟み込むように固定され、また、同様に、支柱２３と上フレーム２７との接合部がナット２１ｃ、２１ｄで上下方向から挟み込むように固定されるため、支柱２３と、下フレーム９及び上フレーム２７とのずれやすべりが無く、高い剛性を得ることができる。
【００６３】
また、下フレーム９と支柱２３及び接合剤５との接合部には補強プレート１３が設けられるため、下フレーム９の接合部の強度が向上し、架台５０の剛性を向上することができる。また、下フレーム９及び上フレーム２７にはそれぞれリブ１１及びリブ２９が設けられるため、下フレーム９及び上フレーム２７が変形等することがない。
【００６４】
また、上フレーム２７と下フレーム９と支柱２３とで形成される矩形部の略対角線上にはターンバックル４３が設けられるため、架台５０は水平方向の振動に対して高い剛性を得ることができる。
【００６５】
また、下プレート３に設けられたボルト穴４にボルト５１をねじ込むことで、架台５０の水平レベル調整を行うことができる。また、棒ボルト８とナット１８ａ、１８ｂによって下フレーム９と棒ボルト８の固定位置が決まるため、容易に架台５０の高さ調整を行うことができる。
【００６６】
また、下フレーム９と上フレーム２７とを接続する支柱として、棒ボルト２６及び丸パイプ２４を使用するため、上方からの荷重を丸パイプ２４で受けることができ、大きな耐荷重性能を有する架台５０を得ることができる。また、上プレート３５には、角パイプ３６が対角線上に設けられるため、上プレート３５の変形等が抑制される。このため、極めて大きな荷重に耐えることができる架台を得ることができる。
【００６７】
また、上フレーム２７の側面には連結穴２８が設けられ、隣接する架台５０同士をボルト等で固定することができるため、固定された複数台の架台５０全体として、より高い剛性を得ることができる。
【００６８】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【図面の簡単な説明】
【００６９】
【図１】架台１の分解斜視図。
【図２】架台１の組み立て斜視図。
【図３】架台１の正面図。
【図４】架台１を設置した状態を示す図。
【図５】架台５０の分解斜視図。
【図６】架台５０の組み立て斜視図。
【図７】架台５０の正面図。
【図８】ボルト穴４近傍の下プレート３断面拡大図。
【符号の説明】
【００７０】
１、５０………架台
３………下プレート
４………ボルト穴
５………接続材
６………ナット
７………切り欠き部
８………棒ボルト
９………下フレーム
１１………リブ
１３………補強板
１５………穴
１７………穴
１８………ナット
１９………ボルト
２１………ナット
２３………支柱
２４………丸パイプ
２５………ボルト部
２６………棒ボルト
２７………上フレーム
２８………連結穴
２９………リブ
３１………穴
３３………ボルト穴
３５………上プレート
３６………角パイプ
３７………ボルト
３９………接続材
４１………穴
４３………ターンバックル
４５………ボルト
４７………フロアパネル
４９………設備設置部位
５１………ボルト
５３………床
５５………プレート
５７………接着剤
【図１】
0005042812.tif 000002
【図２】
0005042812.tif 000003
【図３】
0005042812.tif 000004
【図４】
0005042812.tif 000005
【図５】
0005042812.tif 000006
【図６】
0005042812.tif 000007
【図７】
0005042812.tif 000008
【図８】
0005042812.tif 000009